(57)【要約】      （修正有）【課題】核技術的設備の燃料要素を上方の貯水槽および下方の貯水槽の間で迅速かつ経済的に搬送するための搬送装置を完成し、その際上方の貯水槽の液位が（搬送の間も）下方の貯水槽の液位の上にある装置を提供する。【解決手段】原子炉建物１内の上方の貯水槽３と燃料要素貯蔵部２の下方の貯水槽４の間の燃料要素５の搬送のための搬送装置６であって、両貯水槽を接続する垂直に対して傾斜した搬送管を有し、搬送管が、一または複数の遮断要素（１７，１８，１９）を設けられており、これらによって管断面が遮断可能である搬送装置において、搬送管内で燃料要素５を入れた搬送バスケットを上昇、降下させるためのケーブルウィンチ装置１３を有し、少なくとも一つの遮断要素が、ケーブル通路を有する部分的に閉じる遮断要素１９として設けられており、これを通して牽引ケーブル１６が、閉鎖状態で通過可能である。【選択図】図１
2014219411.tif 000002
【特許請求の範囲】
【請求項１】
核技術上の設備の上方の貯水槽（３）と下方の貯水槽（４）の間、例えば原子炉建物（１）の内部の上方の貯水槽と燃料要素貯蔵部（２）の下方の貯水槽の間の燃料要素（５）の搬送のための搬送装置（６）であって、その際、上方の貯水槽（３）の液位が、下方の貯水槽の液位の上にある搬送装置であって、
上方および下方の貯水槽を接続する、および垂直に対して傾斜して推移する搬送管（１１）を有し、
これらの中に、各一又は複数の燃料要素（５）が、搬送管（１２）を通っての搬送の為に挿入可能である一又は複数の搬送バスケット（１２）を有し、
その際、搬送管（１１）が、一または複数の遮断要素（１７，１８，１９）を設けられており、これらによって管断面が遮断可能である搬送装置において、
搬送管（１１）内で搬送バスケット（１２）を上昇させ降下させるための搬送管内に案内される牽引ケーブル（１６）を有するケーブルウィンチ装置（１３）を有し、
その際、少なくとも一つの遮断要素が、ケーブル通路（３０）を有する部分的に閉じる遮断要素（１９）として設けられており、これを通して牽引ケーブル（１６）が、閉鎖状態で通過案内可能であることを特徴とする搬送装置。
【請求項２】
搬送管（１１）が、その上方の端部に、ケーブル通路を有さない完全に閉じる一つの上方の遮断要素（１７）を有し、その下方の端部に、ケーブル通路を有さない完全に閉じる一つの下方の遮断要素（１８）を有し、および上方および下方の遮断要素（１７，１８）の間に、ケーブル通路を有する一または複数の部分的に閉じる中間遮断要素（１９）を有することを特徴とする請求項１に記載の装置。
【請求項３】
完全に閉じる遮断要素（１７，１８）が、スライダーまたはボールバルブとして形成されており、例えば空気圧、電気式、または液圧式に駆動可能であるスライダーまたはボールバルブとして形成されていることを特徴とする請求項１または２に記載の装置。
【請求項４】
部分的に閉じる遮断要素（１９）が、ボールバルブとしてまたはスライダーとして形成されており、それらのバルブボールまたはスライダープレートが、ケーブル通路を有し、例えば空気圧式、電気式、または液圧式に駆動可能なボールバルブまたはスライダーとし設けられていることを特徴とする請求項１から３のいずれか一項に記載の装置。
【請求項５】
搬送管（１１）の内部に案内された巻上げ車（２０）が設けられ、この巻上げ車に牽引ケーブル（１６）が接続され、およびこの巻上げ車上に搬送の為の搬送バスケットが載置可能であることを特徴とする請求項１から４のいずれか一項に記載の装置。
【請求項６】
搬送バスケット（１２）を燃料要素（５）でもって積載及び／又は開放するための上方の貯水槽（３）内の上方の積み替え装置（２１）が設けられており、及び、搬送バスケット（１２）を燃料要素でもって積載及び／又は開放するための下方の貯水槽（４）内の下方の積み替え装置（２２）が設けられており、
その際、上方の積み替え装置（２１）内に、及び／又は下方の積み替え装置（２２）内に、各二つの搬送バスケット（１２）が挿入可能であり、これらが、搬送管（１１）の上または下に位置取らせるために、スライド可能であり、スライド移動の間、（自動的に）垂直の積み替え位置から、傾斜した搬送位置へ、および反対に旋回可能であることを特徴とする請求項１から５のいずれか一項に記載の装置
【請求項７】
上方及び／又は下方の積み替え装置（２１，２２）が二つの旋回フレームを有し、これら旋回フレーム内に、各一つの搬送バスケットが挿入可能であり、およびこれら旋回フレーム内で搬送バスケット（１２）が垂直の積み替え位置から、傾斜した搬送位置へと、および反対に旋回可能であり、その際、旋回フレームがその中に配置された一または複数の搬送バスケットと共に、好ましくは、共通の（水平な）軸（Ａ）の周りを逆方向に旋回可能に組付けられていることを特徴とする請求項６に記載の装置。
【請求項８】
旋回フレーム（２３）が、又はその中に挿入された搬送バスケット（１２）が、スライド移動中に以下のように制御レール（２６）内で／に沿って案内される、つまり、搬送バスケット（１２）が自動的に旋回し、好ましくは搬送バスケット（１２）の（下側の）制御ピボット（２７）が制御レール（２６）内に案内されることによって搬送バスケットが自動的に旋回するよう案内されることを特徴とする請求項７に記載の装置。
【請求項９】
搬送バスケット（１２）及び／又は巻上げ車（２０）が、ガイド要素（３４，３５）によってガイドレール（３３，３６，３７）に沿って案内され、これらが例えば搬送管（１１）の内壁に配置されていることを特徴とする請求項１から８のいずれか一項に記載の装置。
【請求項１０】
上方及び／又は下方の旋回フレーム（２３）が、搬送バスケット（１２）の為及び／又は巻上げ車の為のガイドレール（３６，３７）を設けられていることを特徴とする請求項９に記載の装置。
【請求項１１】
搬送管（１１）が、上方の遮断要素（１７）の下にケーブルインレット（３１）を有し、これを通じて牽引ケーブル（１６）が、管内部からケーブル巻上げ部（１４）へと通過案内されることを特徴とする請求項１から１０のいずれか一項に記載の装置。
【発明の詳細な説明】
【技術分野】
【０００１】
本発明は、核技術的設備の上方の貯水槽と下方の貯水槽の間、例えば、原子炉建物の内部の上方の貯水槽と燃料要素貯蔵部の下方の貯水槽の間の燃料要素の搬送の為の搬送装置であって、（搬送の間の）上方の貯水槽の液位が、下方の貯水槽の液位の上に位置するものに関する。
当該装置は、上方及び下方の貯水槽を接続し、および垂直に対して傾斜して推移する搬送管を有しており、
この中に各一または複数の燃料要素が、搬送管を通しての搬送の為に挿入可能である一又は複数の搬送バスケットを有し、
その際、搬送管は、一または複数の遮断要素を設けられており、これによって管断面を遮断可能である。
原子炉は、例えば沸騰水型原子炉であることが可能であり、または加圧水型原子炉であることも可能である。
【背景技術】
【０００２】
燃料要素の搬送および交換は、核技術的設備の内部において実務では重要な意味を有する。その際、燃料要素は通常、個々の燃料棒の束からなり、および燃料要素自体は、把持部等を備えられているので、その結果、例えば原子炉格納容器内に挿入するため、または原子炉格納容器から引き離すために、適切な機械でもって搬送されることが可能である。よって、特に燃焼した燃料要素は、原子炉格納容器から外に引き離されなければならず、および例えば燃料要素貯蔵部内へと移されなければならない。逆に、新しい燃料要素は、原子炉格納容器内へと運び込まれなければならない。実践では、原子炉建物内の上方の貯水槽を燃料要素交換の間に満たし、その結果、燃料要素が流体（水）の中で搬送されるということが良くある。これらは、開かれた原子炉格納容器から、原子炉格納容器の上方で走行可能な積載機械によって取り出され、および上方の貯水槽の内部で走行し、および逆に、緩衝貯水槽／冷却貯水槽内に中間貯蔵される。上方の貯水槽から、燃料要素は搬送装置を使って例えば燃料要素貯蔵部内へと搬送されなければならない。この燃料要素貯蔵部は、同様に（下方の）貯水槽を設けられている。その際、（例えば原子炉建物内の）上方の貯水槽と、（例えば燃料要素貯蔵部内の）下方の貯水槽は、互いに別々に異なる流体レベルで満たされている。両方の貯水槽の間では、搬送装置によって、垂直に対して傾斜して配置される搬送管を通しての搬送が行われる。そのような搬送装置は、実践では基本的に公知である。その際、原子炉の効率運転の中断を可能な限り減らすために、燃料要素交換のための時間的労力を、可能な限り低く抑えることが図られる。燃料要素交換の為の時間の削減は、経済的観点から特に意味がある。
【０００３】
特許文献１から、核原子炉設備の燃料要素の為の搬送装置が公知である。この設備において燃料要素は、垂直に対して傾斜した方向に向けられる搬送管を通して搬送される。搬送管は、安全スリーブを通過して案内される。この安全スリーブは、加圧水型原子炉の原子炉圧力容器を取り囲んでいる。内部の貯水槽および外部の貯水槽は、燃料要素交換の間、ある流体レベルまたは同一の流体レベルに満たされる。その結果、燃料要素の搬送の間、搬送管の領域には遮断措置が必要なくなる。搬送は、ケーブルウィンチ装置によっておよび台車によって行われる。この台車は、二つのチャンバーを有しており、これらチャンバーのうち一方によって、往路の為に新しい燃料要素が収容され、および復路の為に使用された燃料要素が収容される。台車はその際、垂直な積み替え位置から水平なまたは傾斜した搬送位置へと旋回可能である。公知の搬送装置は、同じ流体レベルで満たされている二つの貯水槽の間の燃料要素の搬送のためのみに使用される。
【０００４】
同じことは特許文献２および３から公知の搬送措置にも言える。この搬送装置によって、燃料要素は原子炉格納容器と、直接これに隣接して配置された貯留容器の間を搬送され、その際、原子炉格納容器と貯留容器は、垂直に対して傾斜して推移する搬送管を介して互いに接続されている。この搬送管の端部側には、積み替え装置が設けられている。これら積み替え装置によって燃料要素が傾斜した搬送方向から垂直な積み替え方向に旋回される。搬送管を通しての搬送は、ケーブルウィンチを使って行われる。このケーブルウィンチは燃料要素を核一つの把持部によって直接把持する。
【０００５】
特許文献３（または４）は、核原子炉のための原料投入装置を記載する。その際、燃料要素は、原子炉格納容器と、原子炉格納容器の下方を水平方向に推移するチャネルの間を直接搬送され、その際、原子炉格納容器とチャネルは、垂直に対して傾斜して設けられた一つの管によって互いに接続されている。搬送の為に、燃料要素はパトローネの中に挿入される。このパトローネは、管を通して搬送可能であり、その際、パトローネは上部に把持部等を備えられているので、ツールによって把持することができる。管は、遮断器官によって完全に遮断可能である。原料投入装置を使って燃料要素交換が行われているとき、この遮断器官は開かれる。
【０００６】
特許文献６（または３）から、燃料要素の為の積載および開放装置が公知である。これら装置は、原子炉格納容器の上に載置されており、およびこれらは二つの、垂直に対し互いに反対に傾斜して配置された傾斜路を有しており、これらの間を燃料要素が旋回装置でもって旋回可能である。動揺に構成された装置は、特許文献７（または８）から公知である。
【先行技術文献】
【特許文献】
【０００７】
【特許文献１】独国特許出願第２３  ３８  ２２８号明細書
【特許文献２】独国特許出願第２７  ２８  ４４５号明細書
【特許文献３】米国特許出願第４  ０９６  ０３１号明細書
【特許文献４】独国特許出願第１  ０４２  ７７８号明細書
【特許文献５】米国特許出願３  ０５８  ９００号明細書
【特許文献６】独国特許出願第２７  ４６  ３９１号明細書
【特許文献７】欧州特許第０  ０４８  ６７１  Ｂ１号明細書
【特許文献８】米国特許出願第４  ４４０  １７８号明細書
【発明の概要】
【発明が解決しようとする課題】
【０００８】
本発明の課題は、核技術的設備の燃料要素を上方の貯水槽および下方の貯水槽の間で迅速かつ経済的に搬送するための搬送装置を完成し、その際上方の貯水槽の液位が（搬送の間も）下方の貯水槽の液位の上にある装置を完成することである。
【課題を解決するための手段】
【０００９】
この課題の解決の為に、冒頭に記載した形式の発明に係る搬送装置は、搬送管の内部の搬送バスケットを上昇または降下させるための搬送管の内部に案内された県輪ケーブルを有するケーブルウィンチ装置によって際立っており、その際、一つのケーブルインレットを有する部分的に閉じる遮断要素としての少なくとも一つの遮断要素が設けられており、これによって、牽引ケーブルが閉じられた状態において通過案内可能である。そのようなケーブルインレットは、好ましくは、搬送管の、側方の貫通部によって形成される。この貫通部は、好ましくは上方の遮断要素の直下に配置される。
【００１０】
本発明は、その際まず一度、搬送管を通しての燃料要素の申し分のない搬送は、ケーブルウィンチ装置によって可能であるという知識から出発する。そのようなケーブルウィンチ装置は、先行技術における冒頭に記載した搬送装置において使用されるに至る。ここにおいて、その間で搬送が行われる両方の貯水槽は、一つのおよび同一な流体レベルに満たされている。というのは、この場合、遮断要素が搬送の間、容易に開かれることが可能だからである。発明に従い、異なる流体レベルに満たされている上方の貯水槽と下方の貯水槽の間のケーブルウィンチ装置による搬送が良好に行われる。搬送の間の上方の貯水槽から下方の貯水槽への流体の流出を防止するために、少なくとも一つの部分的に閉じる遮断要素が搬送管内に統合されている。部分的に閉じる遮断要素とは、遮断要素が一方では完全に開かれ、他方では閉じられた位置にもたらされることが可能であるが、当該遮断要素は、しかし、閉じられた位置（閉鎖状態）で、多かれ少なかれケーブル通路を有し、よって、適当に形状を決められた開口部を有し、その結果、ケーブルウィンチ装置の牽引ケーブルが申し分のない搬送の為に遮断要素を通して通過案内されることが可能であることを意味する。その際、ケーブル通路に基づいて場合によっては発生する少量のリークは、感受されることが可能であり、適当なポンプによって再び相殺（補償）されることが可能である。ここで決定的であるのは、そのようなリークは、発明に係る部分的に閉じる遮断要素を使って最小限に減少されることが可能であるということである。
【００１１】
好ましくは、搬送管は複数の遮断要素を設けられており、詳しく言うと第一に、ケーブル通路を有さない一または複数の完全に閉じる遮断要素と、更に、ケーブル通路を有する一又は複数の部分的に閉じる遮断要素を設けられている。よって、特に有利には、搬送管がその上方の端部にケーブル通路を有さない上方の完全に閉じる遮断要素を有し、その下方の端部にもケーブル通路を有さない下方の完全に閉じる遮断要素を有することが意図され、およびその上、上方の遮断要素と下方の遮断要素の間に、ケーブル通路を有する一または複数の部分的に閉じる中間遮断要素が設けられていることが意図される。一方で完全に閉じる遮断要素を有し、および他方で部分的に閉じる遮断要素を有するそのような実施形は、特に効率的な運転を可能とする。一または複数の完全に閉じる遮断要素は、搬送管の完全なシールの為に使用されるので、特に、搬送が行われない時に閉じられる。しかし搬送の間も、一または複数の遮断要素を、遮断要素の領域に牽引ケーブルが案内されていないときに閉じるという可能性も存在する。
【００１２】
さらに有利であるのは、唯一の部分的に閉じる中間遮断要素でなく、複数の遮断要素、例えば二つの部分的に閉じる遮断要素を搬送管内に統合することである。このようにして、遮断要素は、いわば堰のように時間的に前後して開かれおよび閉じられることが可能である。その結果、例えば、燃料要素を搬送管を通して降下させる間に燃料要素が遮断要素を通過案内される必要があるとき、各中間遮断要素は、短時間のみ完全に開かれる必要がある。
【００１３】
遮断要素は、構造上ことなる方式で形成されることが可能である。上方及び／又は下方の遮断要素、例えば完全に閉じる遮断要素を、スライダーとして形成すること、例えば空気圧式、電気式、または液圧式に駆動されるスライダーとして形成することは、目的にかなっている。代替として、上方／下方の及び／又は完全に閉じる遮断要素が、ボールバルブとして、例えば、空気圧式、電気式または液圧式に駆動されるボールバルブとして形成されることが可能である。
【００１４】
部分的に閉じる遮断要素は、好ましくはボールバルブとして形成される。そのバルブボールは、ケーブル通路を設けられている。しかし代替として、部分的に閉じる遮断要素をスライダーとして形成し、そのスライダープレートにケーブル通路を設けるという可能性も存在する。部分的に閉じる遮断要素においても、好ましくは空気圧式の駆動部が設けられている。代替として、電気式または液圧式の駆動部が使用されることが可能である。部分的に閉じる遮断要素は、ケーブル通路として各少なくとも一つの貫通部を（例えばバルブボール内またはスライダープレート内に）有している。その際、これは例えば一つの溝である。この溝は、例えば、閉鎖状態で側方からバルブボール（またはスライダープレート）に設けられ、および垂直に推移する。
【００１５】
上方及び／又は下方の遮断要素は通常、十分なスペースが提供される領域内に配置されているので、そこで有利にはスライダーでもって動作させられることが可能である。搬送管内に統合された中間要素は、しかし通常、そのアクセスが困難をともなってのみ可能であり、および狭くなった箇所に配置されている。というのは搬送管は実践では有利にはコンクリート管の内部を推移しているからである。コンクリート管の内部のこの箇所には、よって有利にはボールバルブが挿入されている。当該ボールバルブは、少ない構造空間で使用することができ、および、狭くなった箇所においても例えばスライダーとして簡単に交換可能である。
【００１６】
更にオプションとして、搬送管が上方の遮断要素の下でケーブルインレットを設けられており、これを通じてケーブルが管内部からケーブル巻上げ部へと通過案内されることが意図される。ケーブルウィンチ装置のケーブルは、よって、正面から搬送管内に導入されるのでなく、（上方の）側方からのケーブルインレットを介して導入され、その結果、搬送管内へのケーブル供給は、特に上方の（完全に閉じる）遮断要素の下で行われる。これは、上方の遮断要素が、基本的に燃料要素を搬送管内に導入した後、再び閉じられることが可能であるという利点を有する。というのは、ケーブルウィンチ装置による搬送は、閉じられた上方の遮断要素においても可能だからである。上方の遮断要素は、よって燃料要素が上方の遮断要素の領域を通って降下させ、または上昇させられるときに、短時間のみ開かれる必要がる。
【００１７】
発明に従い、燃料要素は、搬送管を通して直接的に通過案内されるのでなく搬送バスケット内で通過案内される。好ましくは、各搬送バスケットが複数の燃料要素、例えば四つの燃料要素を収容する。その結果加速された燃料要素交換が可能となる。
【００１８】
その際、ケーブルウィンチ装置が、直接（上側から）搬送バスケットに介入するのではなく、有利には搬送管の内部に巻上げ車が案内され、この巻上げ車に牽引ケーブルが接続され、その際搬送バスケットはこの巻上げ車上に載置可能であることは特に目的にかなっている。巻上げ車は、よって搬送の間搬送バスケットの下に配置されている。その様な実施形は、特に、上方の遮断要素の下のケーブルインレットとの組み合わせを可能とする。というのは、巻上げ車は、完全に上方側で搬送管から送出されるひつようが無く、単に搬送管の上方の端部の領域まで送出されるのみだからである。
【００１９】
発明に係る搬送装置は、好ましくは、搬送バスケットを燃料要素でもって積載し及び／又は開放するための上方の積み替え装置を上方の貯水槽内に備えており、および、搬送バスケットを燃料要素でもって積載及び／又は開放するための下方の積み替え装置を下方の貯水槽内に備えている。その際、上方の積み替え装置内に、及び／又は下方の積み替え装置内に、各二つの搬送バスケットが挿入可能である。これら搬送バスケットは、搬送管の上または下での位置決めの為に水平方向にスライド可能であり、およびスライド移動の間（好ましくは自動的に）垂直の積み替え位置から傾斜した搬送位置へと、および逆に、旋回可能である。上方及び／又は下方の積み替え装置は、（其々）二つの旋回フレームを備えることが可能である。これら旋回フレーム内に、各一つの搬送バスケットが挿入可能であり、およびこれら旋回フレームで、搬送バスケットは垂直な積み替え位置から傾斜した搬送位置へと、および逆に、旋回可能である。その際、両方の旋回フレームがその中に配置された搬送バスケットと共に、ひとつの共通な水平軸の周りを反対方向に旋回可能に組付けられ、その際、両方の旋回フレームが好ましくは、共通して水平にスライド可能であり、および（挿入された搬送バスケットを介して）スライド移動の間に自動的にスライド可能であるとき、目的にかなっている。よって、この好ましいバリエーションにおいて、積み替え装置の位置決めの間、同時に、搬送バスケットの反対方向での旋回が行われるので、その結果、摩擦の無い、迅速な積み替え運転が可能となる。特に有利には、搬送装置が全部で三つの搬送バスケットを有する。その結果、常に一つの搬送バスケットが上方の積み替え装置内に存在し、および一つの搬送バスケットが下方の積み替え装置内に存在し、他方で、第三の搬送バスケットが、搬送管を通して通過案内されることが可能である。このようにして積み替え時間が大幅に短縮されることができる。これに対する詳細は、図の記載が参照される。
【００２０】
転じて、搬送バスケット及び／又は巻上げ車がガイド要素、例えばガイドローラーによって、ガイドレールに案内されることは目的にかなっている。このガイドローラーは、搬送管の内壁に配置されている。旋回フレームを有する記載した積み替え装置が使用される限り、旋回フレームが、少なくとも搬送バスケットのため、および場合によっては巻上げ車の為のガイドレールも備えられていると、特に目的にかなっている。
【００２１】
以下に本発明を、単に実施例を表すにすぎない図面に基づき詳細に説明する。
【図面の簡単な説明】
【００２２】
【図１】原子炉建物および燃料要素貯蔵部を有する各技術的設備の透視図法による垂直断面図
【図２】図１の対象上方の積み替え装置の領域の拡大図
【図３】図１の対象の下方の積み替え装置の領域の拡大図
【図４】他の視点からの上方の積み替え装置の図
【図５】図４の対象の拡大図
【図６ａ】二つの異なる機能状態における上方の積み替え装置の図
【図６ｂ】二つの異なる機能状態における上方の積み替え装置の図
【図７ａ】図１の対象の他の視点からの拡大図
【図７ｂ】図１の対象の他の視点からの拡大図
【図８ａ】図７ａの対象の他の機能状態の拡大図
【図８ｂ】図７ａの対象の他の機能状態の拡大図
【図９】搬送の間の（部分的に開かれた）搬送管の他の図
【図１０ａ】下方の積み替え装置の異なる機能状態の図
【図１０ｂ】下方の積み替え装置の異なる機能状態の図
【発明を実施するための形態】
【００２３】
図１には、簡単に、原子炉ハウジング１を有する原子炉設備が表されている。この原子炉ハウジング内には、図示されていない原子炉が配置されている。原子炉ハウジング１の隣には、燃料要素貯蔵部２が設けられている。原子炉ハウジング内には、上方貯水槽３が設けられている。この貯水槽は、流体によって上側のレベルまで満たされている。燃料要素貯蔵部２の領域内には、下方貯水槽４が設けられている。この貯水槽は、下側の流体レベルまで満たされている。燃料要素交換の間、例えば（燃焼した）燃料要素５が搬送装置６により原子炉から上方貯水槽３を介して下方貯水槽４の領域へと搬送され、及び／又は、逆に新しい燃料要素が上に向かって搬送される。燃料要素５を原子炉格納容器から取り出すために、原子炉建物１内に積載機械７が設けられている。これによって、例えば燃料要素５が、原子炉格納容器から引き離され、そして上方貯水槽３の領域で搬送装置６へと搬送されることが可能である。この為、積載機械７は、例えばテレスコープグリッパー８を備えられていることが可能である。これによって、把持部９を設けられた燃料要素５が捕えられることが可能である。同様に、燃料要素貯蔵部２には積載装置１０が設けられている。これによって燃料要素５が搬送装置７６の領域から搬出されるか、または搬送装置６の領域内へと搬送されることが可能である。本発明は、これによって燃料要素５が、原子炉建物１の上方貯水槽３の領域から燃料要素貯蔵部２の下方貯水槽４内へと（および逆に）搬送されることが可能である搬送装置６に取り組む。その際、上方貯水槽の液位は、下方貯水槽の液位よりも上に位置する。搬送装置６は、搬送管１１を有している。この搬送管は、上方貯水槽および下方貯水槽を互いに接続し、および垂直に対して斜めに推移している。その上、搬送装置は、複数の搬送バスケット１２を有している。つまり、燃料要素は直接搬送管１１自体によって搬送されるのでなく、搬送バスケット１２内で搬送され、その際、当該実施例においては一つの搬送バスケットに四つの燃料要素が挿入可能である。更に、搬送装置６はケーブルウィンチ装置１３を有している。このケーブルウィンチ装置は、ケーブル巻上げ部１４と駆動部１５と牽引ケーブル１６を有している。この牽引ケーブルは、搬送バスケット１２を持ち上げおよび下げ降ろすために搬送管１１内に案内されている。搬送管１１は、複数の遮断要素１７，１８，１９を備えられている。これら遮断要素によって管断面が遮断可能であり、これによって上方貯水層から下方貯水槽４内への流体の排出を回避するまたは最小とする。搬送管１１は、その上方の端部に一つの上方の完全に閉じる遮断要素１７を設けられ、その下方の端部に一つの下方の完全に閉じる遮断要素１８を設けられ、その際、これら遮断要素１７，１８はスライダーとして形成されている。この箇所には、スライダーの使用の為に十分な空間が存在している。上方の遮断要素１７と下方の遮断要素１８の間には、複数の別の遮断要素、つまり複数の部分的に閉じる中間要素１９が設けられている。これら中間要素は、本実施例ではボールバルブとして形成されている。この箇所には、ボールバルブが使用される。というのは、搬送管１２はここではコンクリート管内を推移し、よって比較的少ないスペースが提供されるからである。
【００２４】
完全に閉じる遮断要素１７，１８と、部分的に閉じる遮断要素１９の間の相違点は、部分的に閉じる遮断要素はケーブル通路を設けられており、これを通して牽引ケーブル１６が遮断要素１９が閉じた状態において通過可能であるという点に存在する。反対に、完全に閉じる遮断要素１７，１８は、そのようなケーブル通路を有さず形成されている。搬送バスケット１２を各バルブ領域を通って通過させるために、全体の遮断要素１７，１８，１９は、（完全に）開かれる必要がある。しかし、部分的に閉じられる遮断要素１９は、搬送バスケット１２の通過の後に閉じられることが可能である。というのは、ケーブルウィンチ装置の牽引ケーブル１６は、閉じられたバルブ状態においてもケーブル通路を通って通過案内せしめることができるからである。搬送装置６は、その上、巻上げ車２０を有している。つまり、ケーブルウィンチ装置１３の牽引ケーブル１６は、搬送バスケット１２に適用されず、（別体の）巻上げ車２０に接続され、その際、巻上げ車２０は搬送バスケット１２の下方に配置され、つまり搬送バスケット１２は搬送の間巻上げ車２０上に載置される。この形態の利点は、以下に詳細に説明される。
【００２５】
その上更に、搬送装置６は、搬送バスケット１２に燃料要素５を積載及び／又は開放するために図２の上方の積み替え装置２１を貯水槽内に有している。搬送バスケット１２に燃料要素５を積載及び／又は開放するために、貯水槽４内に搬送装置６は下方の積み替え装置２２（図３）を有している。
【００２６】
上方の貯水槽３から下方の貯水槽４内への燃料要素５の搬送のために、よってまず、搬送バスケット１２が、上方の積み替え装置２１内の燃料要素５により積載を行われる。引き続いて搬送バスケット１２は、上方の積み替え装置２１から搬送管１１を通って下方の積み替え装置２２の領域へと搬送される。これは詳しく言うとケーブルウィンチ装置１３によって行われる。その後、下方の積み替え装置２２内では、燃料要素５が（例えば積載機械１０によって）搬送バスケット１２から取り出される。（例えば燃料要素なしの空の）搬送バスケット１２は、再びケーブルウィンチ装置１３によって搬送管１１を通って上へと搬送されることが可能である。
【００２７】
迅速かつよって経済的な搬送を確実に行うために、上方の積み替え装置２１にも下方の積み替え装置２２にも各二つの搬送バスケット１２が挿入可能である。これらは、搬送管１１の上または下での位置決めの為に水平にスライド可能であり、およびスライド移動の間に、好ましくは自動的に垂直の積み替え位置から、傾斜した搬送位置へと、および反対に旋回可能である。搬送バスケット１２は、それゆえ、垂直な積み替え位置内で燃料要素５を積載され、およびこれに対応して、燃料要素５は、そのような垂直の積み替え位置で搬送バスケット１２から取り出される。搬送管１１内での搬送のために、搬送バスケット１２はその後、傾斜した搬送位置へと旋回される。表された実施形においては、搬送バスケット１２のこの旋回は、搬送バスケット１２のスライド移動の間に自動的に行われる。これは、まず例えば、上方の積み替え装置２１に基づいて説明されるべきである。上方の積み替え装置２１は、二つの旋回フレーム２３を設けられている。この中に、各一つの搬送バスケットが挿入可能であり、そしてこの中で搬送バスケット１２が、垂直の積み替え位置から傾斜した搬送位置へと旋回可能であり、および反対に旋回可能である。その際、両方の旋回フレーム２３は、その中に配置された搬送バスケット１２と共に、共通の（水平な）軸Ａの回りを反対方向に旋回可能に組み付立てられる。両方の旋回フレーム２３は、共通して水平にスライド可能であり、および挿入された搬送バスケット１２を介してスライド移動の間に自動的に旋回可能である。これは詳しく言うと反対方向に行われる。両方の旋回フレーム２３は、共通のスライドフレーム２４内に旋回可能に配置されており、およびこれと共にスライド可能である。その際、旋回フレームは、挿入された搬送バスケット１２と共にスライドフレーム２４のスライドによって担持フレーム２５の内部で搬送管に対して相対的に位置決め可能であり、およびその際自動的に旋回可能である。これは、制御レール２６によって達成される。この制御レールは、当該実施例においては湾曲形状に形成されており、その際旋回フレーム２３または挿入された搬送バスケット１２は、スライド移動の間、制御レール２６内で以下のように実施される。つまり、搬送バスケット１２が自動的に旋回し、その後搬送バスケット１２が当該実施例においては下側の制御ピボット２７の方を向くよう行われる。この制御ピボットは制御レール２６内に介入している。その際、担持フレーム２５は、二つのガイドレール２８を有している。これらガイドレール内でスライドフレーム２４が水平かつ直線的に案内されている。これは詳しく言うと、駆動部２９を介して行われる。
【００２８】
同様にして、下方の積み替え装置２２が構成されている。これは、同様に一つの担持フレーム２５、一つのスライドフレーム２４および二つの旋回フレーム２３を有している。好ましくは三つの搬送バスケットが設けられている。
【００２９】
発明に係る搬送装置６の機能方式は、図４から１０ａ、１０ｂに基づき説明される。まず燃料要素５が原子炉格納容器から積載機械７を使って取り出され、および上方の積み替え装置２１の領域へと搬送される。そこでは、旋回フレーム２３の内部に、垂直な積み替え位置にある搬送バスケット１２が存在している。その結果、４つの燃料要素は搬送バスケット１２内へと挿入されることが可能である（図４参照）。搬送バスケット１２は、垂直な積み替え位置内で横方向にずらされて搬送管１１に隣接して存在している。搬送管１１の上には、例えば空の搬送バスケット１２が斜めの傾斜位置で存在している。その際、この空の搬送バスケット１２は例えば他の搬送バスケットの積載の間、下方の積み替え位置２２の領域から上に向かって搬送される。
【００３０】
そして満たされた搬送バスケット１２を搬送管１１の上に位置取らせるために、スライドフレーム２４がその中に配置された旋回フレーム２３と共にスライドされる。これは、上方の積み替え位置２１を異なる機能状態でおよび異なる視点で示す図６ａおよび６ｂの比較観察から生じる。搬送バスケット１２は、その下方の制御ピボット２７でもって制御レール２６内へと介入する。その結果、スライドフレーム２４およびこれに伴い旋回フレーム２３のスライド移動の間、この旋回フレーム２３はその中に挿入された搬送バスケット１２と共に反対へと旋回するので、満たされた搬送バスケット１２は搬送管１１の上に位置するのみならず、同時に、垂直な積み替え位置から傾斜した搬送位置への旋回も行われる。
【００３１】
これによって空の搬送バスケット１２が下から上へと搬送される巻上げ
車２０は、その結果いずれにせよ、搬送管１１の上方の端部の領域に存在するので、満たされた搬送バスケット１２はスライドフレーム２４のスライド移動の間、巻上げ車２０上に載置される。上方の遮断要素１７は、その際開かれている（図５参照）。
【００３２】
さて、巻上げ車２０は、その上に載置された、満たされた搬送バスケット１２と共にケーブルウィンチ装置１３でもって降下せしめられることが可能である（図７ａ、７ｂ参照）。遮断器官１８は、まず閉じられる。同様のことは、搬送管１１の内部にある中間バルブ（ボールバルブ１９）に対しても有効である。巻上げ車２０と搬送バスケット１２の降下移動の間、中間バルブが個々に次から次へと水門のごとく開かれ、そして巻上げ車と搬送バスケット１２の通過の後、すぐに再度閉じられる。これは、中間バルブ１９が各一つのケーブル通路３０を備えているので可能である。当該ケーブル通路内を、牽引ケーブル１６がこのバルブが閉じられた状態で通過することが可能である。このようにして、搬送の間の上方貯水槽３から下方貯水槽４への流体の流出は防止される（図８ａ、８ｂ参照）。
【００３３】
搬送バスケット１２が下側で搬送管１１から噴出する前に、下方のスライダー１８が開かれる。この為、図９が参照される。図９は搬送管１１を下から斜めに見た図として示している。搬送バスケット１２が下方の中間バルブ１９の下に降下せしめられており、その際この中間バルブ１９が閉じられているのが見て取れる。下方のスライダー１８は開かれている。
【００３４】
巻上げ車２０は、その上に載置された搬送バスケット１２と共に、それ故、後下方へと搬送管１１から退出し、その後、下方の積み替え装置２２内へと進入する。この為に、図１０ａ、１０ｂの比較的観察が参照される。
【００３５】
下方の積み替え装置２２内には、その結果、満たされた搬送バスケット１２が傾斜した搬送位置で存在し、その上、再び、空の搬送バスケット１２が垂直の積み替え位置に置かれている。スライドフレーム２４は再びスライドされることが可能である。その結果、搬送バスケットは対応して位置決めされそして旋回を受ける。満たされた搬送バスケット１２は、それ故、垂直の積み替え位置となるのに対して、空の搬送バスケット１２は、搬送管１１の下方で傾斜した搬送位置となる。そして、空の搬送バスケット１２が再び巻上げ車２０と上に向かってされることが可能である。同時に満たされた搬送バスケット１２は下方の搬送装置１０によって開放されることが可能である。
【００３６】
これによって、燃料要素の迅速な搬送が実現されることが可能である点が明らかとなる。特に、上方の積み替え装置内では積載が行われることが可能であり、そして下方の積み替え装置内では開放が行われることが可能である。特に、積載および開放の間に、別の搬送バスケット１２の搬送が搬送装置によって実現されることが可能である。好ましくは、それゆえに少なくとも二つの搬送バスケットを設けられている。本実施例においては、しかし三つの搬送バスケットが設けられ、その際、常に一つの搬送バスケットが上方の積み替え装置内に存在し、そして一つの搬送バスケットが下方の積み替え装置内に存在し、他方で第三の一つの搬送バスケットが上方の積み替え装置と下方の積み替え装置の間を搬送されることが可能である。
【００３７】
図２には、その上、ケーブルウィンチ装置１３の牽引ケーブル１６が搬送管１１の上方の正面端部から搬送管の中へと挿入されるのではなく、搬送管１１が上方のスライダー１７の下方で一つの（側方の）ケーブルインレット３１を備え、これを通して牽引ケーブル１６が管内部からケーブル巻上げ部１４に向かって通過案内され、詳しく言うとケーブル案内管３２を通って通過案内されることが見て取れる。このケーブルインレット３１は、それゆえスライダー１７の下方に配置され、特に上方の積み替え装置２１の下方に配置される。そのようなケーブルインレットは、特に記載される巻上げ車２０と関連して、これが搬送バスケット１２の下方に配置されるとき、目的にかなっている。
【００３８】
図にはその上、搬送管１１内のガイドレール３３が見て取れる。この巻上げ車２０は、ガイド要素、つまりローラー３４を設けられている。これらローラーは、ガイドレール３３内に案内されている。搬送バスケットもまた、ローラーの形式のガイド要素３５を設けられている。これらは同様に、ガイドレール３３内に案内されている。その上、上方の積み替え装置２１の領域内には、同様にガイドレール３６が設けられ、下方の積み替え装置の領域内にはガイドレール３７が設けられている。
【００３９】
上方の積み替え装置２１および下方の積み替え装置２２は、本実施例においては機能的に同等に形成されている。これらはその構造において所定の詳細につき異なっている。これは例えば旋回フレーム２３に関する。上方の積み替え装置の旋回フレーム２３が全範囲的に閉じられており、他方で下方の積み替え装置の旋回フレーム２３が一方側で開かれていることが見て取れる。これは、下方の積み替え装置２２内の牽引ケーブル１６が、旋回フレーム２３を通り過ぎて案内される必要があり、その結果旋回フレーム２３の旋回が牽引ケーブルによって阻害されることのないということ関連している。
【００４０】
空気圧によって駆動されることが示唆されている。この為、上方のスライダー１７は空気圧式の駆動部３８を設けられている。下方のスライダー１８は、空気圧式の駆動部３９を設けられている。ボールバルブ１９は、同様に空気圧式の駆動部４０を設けられており、これらは一次駆動部として形成され、そして旋回レバー４１を介してバルブ１９のバルブボール４２上へと駆動される。その際このバルブボール４２は、記載したケーブル通路３０を備えており、このケーブル通路がバルブボール４２の貫通部として形成されている。
【００４１】
本実施例においては空気圧式の駆動部が表されている。しかしまた、代替として、電気式または液圧式の駆動部が使用されることが可能である。
【図１】
2014219411.tif 000003
【図２】
2014219411.tif 000004
【図３】
2014219411.tif 000005
【図４】
2014219411.tif 000006
【図５】
2014219411.tif 000007
【図６ａ】
2014219411.tif 000008
【図６ｂ】
2014219411.tif 000009
【図７ａ】
2014219411.tif 000010
【図７ｂ】
2014219411.tif 000011
【図８ａ】
2014219411.tif 000012
【図８ｂ】
2014219411.tif 000013
【図９】
2014219411.tif 000014
【図１０ａ】
2014219411.tif 000015
【図１０ｂ】
2014219411.tif 000016